(57)【要約】【課題】災害発生時等に使用する照光装置には、種々のタイプがあるが、いずれも作業する場所の近くに持ち込んで使用するのが一般的である。作業場所まで照光装置を移動できない場合、例えば河川の土砂くずれなどの場合、対岸の堤防より、遠方まで光が届き、かつ、適宜な照光範囲を確保できる光ビームを利用した照光装置を提供する。【解決手段】放電管２と、放電管をとり囲むように設けられ同放電管より発する光を反射する反射鏡３と、反射鏡の前面に設置されるモールガラス、型板ガラス又はすり板ガラスなどよりなる光の拡散板９とを備えたことを特徴とする照光装置であり、同拡散板の選択により高照度にして多様な照光範囲を確保できる。【選択図】図２
0003152389.tif 000002
【実用新案登録請求の範囲】
【請求項１】
放電管と、前記放電管をとり囲むように設けられ同放電管より発する光を反射する反射
鏡と、前記反射鏡の前面に設置される光の拡散板とを備えたことを特徴とする光ビームを
利用した照光装置。
【請求項２】
放電管と、前記放電管をとり囲むように設けられ同放電管より発する光を反射する反射
鏡と、前記反射鏡の前面に設置されるモールガラス、型板ガラス又はすり板ガラスよりな
る光の拡散板とを備えたことを特徴とする光ビームを利用した照光装置。
【考案の詳細な説明】
【技術分野】
【０００１】
本考案は、光ビームを利用した照光装置に関し、災害発生時等において有用な照光装置
に関する。
【背景技術】
【０００２】
災害発生時等に使用する照光装置には、種々のタイプがあるが、いずれも作業する場所
の近くに持ち込んで使用するのが一般的である。なお、作業場所まで照光装置を移動でき
ない場合、例えば河川の土砂くずれなどの場合、対岸の堤防より、遠方まで光の届く、例
えば特許文献１に示したような光ビームを利用した装置を使って作業場所を照らし出すこ
とは考えられる。
【先行技術文献】
【特許文献】
【０００３】
【特許文献１】登録実用新案第３１４７７６２号公報
【考案の概要】
【考案が解決しようとする課題】
【０００４】
特許文献１に示した装置を照光装置として利用すれば、前述のような災害の場合、河川
の一方の堤防より対岸の作業場所に照光することは可能である。
【０００５】
しかしながら、この従来装置は、光ビームを適宜絞りこみ、おおむね平行光源として遠
方まで届くように設計されているため、十分な照度は得られるものの、その照光範囲は極
めて狭く、災害時の復旧工事などの場合、十分に活用できないという問題点があることが
判った。
【０００６】
本考案は、この問題点を解決する照光装置を提供する。
【課題を解決するための手段】
【０００７】
本考案請求項１に係る考案は、放電管と、前記放電管をとり囲むように設けられ同放電
管より発する光を反射する反射鏡と、前記反射鏡の前面に設置される光の拡散板とを備え
たことを特徴とする光ビームを利用した照光装置である。
【０００８】
本考案請求項２に係る考案は、放電管と、前記放電管をとり囲むように設けられ同放電
管より発する光を反射する反射鏡と、前記反射鏡の前面に設置されるモールガラス、型板
ガラス又はすり板ガラスよりなる光の拡散板とを備えたことを特徴とする光ビームを利用
した照光装置である。
【考案の効果】
【０００９】
本考案は、以上のような構成よりなるので、特に光の拡散板を設けるので、照光範囲の
拡大が適宜行え、土砂災害時の復旧作業等に利用して好適である。実際に試したところ、
５０ｍ以下の距離ならば従来の作業灯（作業場所近辺まで照光装置を移動させるもの）の
方が良いが、５０ｍを越し１ｋｍ程度となると、本考案装置が格段に良いことが判った。
拡散板の種類を取換えることにより、必要とされる照度、照光範囲など適宜選択できる利
点もある。
【図面の簡単な説明】
【００１０】
【図１】本考案の一実施例における照光装置の斜視図である。
【図２】本考案の一実施例における照光装置の要部を示す一部断面側面図である。
【図３】本考案の一実施例における照光装置に使用するモールガラスの一例を示す一部切欠斜視図である。
【図４】図３のモールガラスの要部断面図である。
【考案を実施するための形態】
【００１１】
本考案の実施例につき、図面を参照しながら以下説明する。図１は本考案の一実施例に
おける照光装置の斜視図、図２は同照光装置の要部を示す一部断面側面図である。
【００１２】
図１〜図２において、１は照光装置本体であり、その照光装置本体を構成する主要部と
して、放電管の一例としてのキセノンランプ２、キセノンランプの外囲器でありかつ集光
作用を有する反射鏡３、後で詳述する光の拡散板９があり、その他、載置台４、載置台下
部に取り付けられた車輪５、キセノンランプ２の位置を微調整する調整つまみ１１などが
ある。
【００１３】
６は照光装置１に電力を供給する電源装置であり、自己発電機能を有する直流発電機を
内蔵するのが望ましい。７は電力供給等を行う配線であり、８は電源装置６の下部に取り
付けられた車輪である。なお、電源装置としては、商用電源でも使用できるようにするの
が望ましい。
【００１４】
さて、本考案の最大の特徴は、光の拡散板９を反射鏡３の前面に設置することである。
拡散板９の取付け方法は図示例では周辺の数個所に孔を設け、ボルトとネジ１０で締付け
ているが、この方法に限るものではない。
【００１５】
また、拡散板９としては、モールガラス、型板ガラス又はすり板ガラスなどの使用が好
適である。
【００１６】
なお、モールガラスは図３、図４にその一部小片を示したが、片面は平面で他面は縞状
（ストライプ柄）の凹凸面となっている。ストライプ幅Ｌは種々設計は可能であるが、実
施例ではＬの値が１２．５ｍｍのガラスを使用した。
【００１７】
図３、図４はモールガラスの一部小片を示すもので、実際は照光装置全体、特に反射鏡
前面の大きさに応じて適宜選ぶことになる。このモールガラス使用の場合は、ストライプ
を上下方向（垂直方向）になるように設置すると、遠方における照光範囲が左右方向（水
平方向）に拡がる効果がある。
【００１８】
さらに、型板ガラスはロールに彫刻された型模様をガラス面に転写して製造されたガラ
スであり、梨地ガラスとかかすみガラスがこれに該当する。全体的に照光範囲を広げる効
果があった。
【００１９】
また、すり板ガラスは透明な板ガラスの片面を金剛砂と金属ブラシで不透明に加工した
板ガラスであり、このガラスも本考案に適用できる。
【００２０】
以上の実施例では、キセノンランプとして定格ランプ入力１８９０ワット、全光束７２
，０００ルーメン、水平光度７，５００カンデラのものを使用、反射鏡の前方開放端の径
は４００ｍｍ、同後方開孔端の径は９０ｍｍである。
【００２１】
前述のＬの値が１２．５ｍｍのモールガラスを使用したとき、光源より１００ｍ先の中
央部の照度は４９ルックス、中央部より光束に対し垂直方向で左側２５ｍ離れたところで
２ルックス、同右側２５ｍ離れたところで１ルックスであり、中央部と左右の照度差が大
きかったが、光源より２００ｍ先の中央部の照度は９ルックス、中央部より同上左側５０
ｍ離れたところで１ルックス、同右側５０ｍ離れたところで２ルックス（中央部を中心に
左右２０ｍはほぼ均一でそれより外側左右５０ｍにわたって次第に照度が下がっている）
であり、中央部と左右の照度差はきわめて小さくなった。
【００２２】
なお、本考案は、以上の実施例に限らず、種々の実施例をもって実現できることは言う
までもない。
【符号の説明】
【００２３】
１  照光装置本体
２  キセノンランプ
３  反射鏡
４  載置台
５  車輪
６  電源装置
７  配線
８  車輪
９  光の拡散板
１０  ボルトとネジ
１１  調整つまみ
【図１】
0003152389.tif 000003
【図２】
0003152389.tif 000004
【図３】
0003152389.tif 000005
【図４】
0003152389.tif 000006